(57)【特許請求の範囲】
【請求項１】
熱媒体利用機器における熱媒体の流通部と、熱媒体供給手段との間で熱媒体を循環させる方法であって、
第１の循環ポンプにより、前記熱媒体が、前記流通部に流入し、前記流通部から流出する第１の循環系を構成し、
第２の循環ポンプにより、前記熱媒体供給手段からの熱媒体を、前記第１の循環系における前記流通部の入側に供給し、前記流通部の出側から前記熱媒体供給手段に返送する第２の循環系を構成し、
前記第１の循環系に竪向きにベントを設け、前記ベントの開口部を前記第２の循環系と接続する、
ことを特徴とする熱媒体利用機器への熱媒体供給方法。
【請求項２】
前記第２の循環系内で熱媒体温度を調節したうえで、温度調節した熱媒体を前記第１循環系に供給する請求項１記載の熱媒体利用機器への熱媒体供給方法。
【請求項３】
冷媒を流通させる少なくとも冷却ジャケットを有する流通部を備えた晶析装置に冷媒を供給する方法であって、
第１の循環ポンプにより、前記冷媒が、前記流通部に流入し、前記流通部から流出する第１の循環系を構成し、
第２の循環ポンプにより、冷媒供給手段からの冷媒を、前記第１の循環系における前記流通部の入側に供給し、前記流通部の出側から前記冷媒供給手段に返送する第２の循環系を構成し、
前記第１の循環系に竪向きにベントを設け、前記ベントの開口部を前記第２の循環系と接続する、
ことを特徴とする晶析装置への冷媒供給方法。
【請求項４】
前記第２の循環系内で冷媒温度を調節したうえで、温度調節した冷媒を前記第１循環系に供給する請求項３記載の晶析装置への冷媒供給方法。
【請求項５】
前記第１の循環系内に冷媒の加熱手段を組み込み、前記加熱手段により冷媒を加熱して、前記流通部を介して、結晶の融解を図る請求項３記載の晶析装置への冷媒供給方法。
【請求項６】
熱媒体利用機器における熱媒体の流通部と、熱媒体供給手段との間で熱媒体が循環する設備であって、
第１の循環ポンプにより、前記熱媒体が、前記流通部に流入し、前記流通部から流出する第１の循環系と、
第２の循環ポンプにより、前記熱媒体供給手段からの熱媒体が、前記第１の循環系における前記流通部の入側に供給され、前記流通部の出側から前記熱媒体供給手段に返送される第２の循環系と、
前記第１の循環系に竪向きに設けられたベントと、
を有し、
前記ベントの開口部が前記第２の循環系と接続されている、
ことを特徴とする熱媒体利用設備。
【請求項７】
前記第２の循環系内で熱媒体温度が温度調節された熱媒体が前記第１循環系に供給される請求項６記載の熱媒体利用設備。
【請求項８】
冷媒を流通させる少なくとも冷却ジャケットを有する流通部を備えた晶析設備であって、
第１の循環ポンプにより、前記冷媒が、前記流通部に流入され、前記流通部から流出される第１の循環系と、
第２の循環ポンプにより、冷媒供給手段からの冷媒が、前記第１の循環系における前記流通部の入側に供給され、前記流通部の出側から前記冷媒供給手段に返送される第２の循環系と、
前記第１の循環系に竪向きに設けられたベントと、
を有し、
前記ベントの開口部が前記第２の循環系と接続されている、
ことを特徴とする晶析設備。
【請求項９】
前記第２の循環系内で冷媒温度が温度調節された冷媒が前記第１循環系に供給される請求項８記載の晶析設備。
【請求項１０】
前記第１の循環系内に冷媒の加熱手段が組み込まれ、
前記加熱手段により冷媒が加熱されて、前記流通部を介して結晶の融解が可能である構成を有する請求項８記載の晶析設備。
【請求項１１】
前記第１の循環系に温度検出手段が設けられ、
前記第２の循環系における前記第１の循環系への冷媒供給路に流量調整手段が設けられ、前記温度検出手段による冷媒温度に基づき、前記流量調整手段により冷媒流量が調整される請求項８記載の晶析設備。
【請求項１２】
前記第１の循環系における第１の循環ポンプの出側と前記流通部の入口との間に温度検出手段が設けられ、
前記第２の循環系における、前記第１の循環系の前記第２の循環ポンプの入側への冷媒供給路に流量調整手段が設けられ、
前記温度検出手段による冷媒温度に基づき、前記流量調整手段により冷媒流量が調整される請求項８記載の晶析設備。
【発明の詳細な説明】
【技術分野】
【０００１】
本発明は、熱媒体利用機器への熱媒体供給方法及び熱媒体利用設備に関するものである。
【背景技術】
【０００２】
熱媒体を利用する機器、例えば、化学機器、さらに間接冷却式の晶出機を具体例とした場合、その晶出機のジャケット、あるいはエレメントにも冷媒を供給し、冷却面を介して内部液を冷却し結晶を析出させる態様がある。
【０００３】
しかしながら、この種の晶析操作においては、冷媒としての供給液の冷却及び結晶化熱を除熱する必要があり、またスケーリングを抑止するため冷却面との温度差をあまり大きく取れないため、ジャケット、あるいはエレメントに大量の冷媒を供給する必要がある。
【０００４】
このための形態例としては、例えば図１に示す形態がある。すなわち、冷媒ホールドタンク４から液体冷媒を、冷媒供給ポンプ５により、供給路６を通して、晶析装置１のジャケット２及びエレメント３に対して供給する。
返送冷媒は、返送路７を通して冷媒ホールドタンク４に返送した後、冷凍機供給ポンプ８により冷凍機９に供給し、冷凍機９で冷却したものを復路９Ａを通して冷媒ホールドタンク４に戻す態様である。
【先行技術文献】
【特許文献】
【０００５】
【特許文献１】特開２０１０−１３１５２２号公報
【発明の概要】
【発明が解決しようとする課題】
【０００６】
前掲の従来の形態例においては、大量の液体冷媒を晶析装置１のジャケット２あるいはエレメント３に対して供給するために、冷媒の供給源、例えば冷凍機９及び冷媒ホールドタンク４を、晶析装置１に近傍に設置することは、工場の設備配置などの観点から困難であり、しかも、スケーリングを抑止するために、冷却面に対する流速が速くなくてはならないために、大容量の冷媒を供給する冷媒循環ラインを大口径とし、かつ、長距離（例えば５０〜１００ｍ）で敷設する必要がある。
【０００７】
これでは設備費が嵩むばかりでなく、循環過程での大量の冷却循環動力や冷媒循環ラインにおける入熱などによるエネルギーロスも大きなものとなり、その結果、運転コストが嵩むものとなる。
【０００８】
そこで、本発明の主たる課題は、設備コスト及び運転コストを抑制できる熱媒体利用機器への熱媒体供給方法及び熱媒体利用設備を提供することにある。
【課題を解決するための手段】
【０００９】
上記課題を解決するため、本発明は、熱媒体利用機器における熱媒体の流通部と、熱媒体供給手段との間で熱媒体を循環させる方法にあって、前記前記流通部の近傍に局所的な
第１の循環系を構成し、熱媒体供給手段から流出しその後戻る熱媒体の第２の循環系とを構成し、第１の循環系と第２の循環系とを繋いで、第１の循環系及び第２の循環系それぞれの負荷を軽減しようとするものである。
【００１０】
本発明の第１の態様は、熱媒体利用機器における熱媒体の流通部と、熱媒体供給手段との間で熱媒体を循環させる方法であって、
前記熱媒体が、前記流通部に流入し、前記流通部から流出する第１の循環系を構成し、
前記熱媒体供給手段からの熱媒体を、前記第１の循環系における前記流通部の入側に供給し、前記流通部の出側から前記熱媒体供給手段に返送する第２の循環系を構成する、
ことを特徴とする熱媒体利用機器への熱媒体供給方法である。
【００１１】
本発明の第２の態様は、熱媒体利用機器における熱媒体の流通部と、熱媒体供給手段との間で熱媒体が循環する設備であって、
前記熱媒体が、前記流通部に流入し、前記流通部から流出する第１の循環系と、
前記熱媒体供給手段からの熱媒体が、前記第１の循環系における前記流通部の入側に供給され、前記流通部の出側から前記熱媒体供給手段に返送される第２の循環系と、
を有することを特徴とする熱媒体利用設備である。
【発明の効果】
【００１２】
本発明によれば、設備コスト及び運転コストを抑制できる熱媒体利用機器への熱媒体供給方法及びその装置を提供することにある。
【図面の簡単な説明】
【００１３】
【図１】従来の形態例の概要を示すフローシートである。
【図２】本発明の態様の概要を示すフローシートである。
【図３】他の態様の概要を示す要部のフローシートである。
【図４】別の態様の概要を示す要部のフローシートである。
【発明を実施するための形態】
【００１４】
本発明の熱媒体利用機器及び熱媒体については、加熱媒体及び冷媒（冷却媒体）の両者を含む意義である。
また、利用機器は、熱媒体を利用するものであれば限定はされず、例えば反応装置、晶析装置、蒸発装置、乾燥装置などを含む各種の化学機器のほか、熱機器なども含む意義である。また、利用機器は、単一の機器に限定されず、複数の機器で当該熱を利用する態様も含む。
【００１５】
以下においては、熱媒体として冷媒を、利用機器として晶析装置（晶出機）の一例について添付図面を参照しつつ説明する。この説明の過程で、適宜、他の例についても言及することとする。
【００１６】
例えば図２に示す態様において、冷媒ホールドタンク１４から冷媒を、冷媒供給ポンプ１５により、供給路１６を通して、間接冷却式晶析装置１のジャケット２及びエレメント３に対して供給する。
返送する冷媒は、返送路１７を通して冷媒ホールドタンク１４に返送した後、冷凍機供給ポンプ１８により冷凍機１９に供給し、冷凍機１９で冷却したものを復路１９Ａを通して冷媒ホールドタンク１４に戻すようにしてある。
【００１７】
この態様において、流通部を備えた晶析装置１に対して冷媒を流通させる。この場合、少なくとも冷却ジャケット２に対して冷媒を供給するもので、エレメント３を設置せず、これへの供給を行わないものでもよい。
【００１８】
この態様において、冷媒の循環のために、循環ポンプ２１が設けられている。冷媒が、循環ポンプ２１から往路２２を介して、流通部としての冷却ジャケット２及びエレメント３に流入され、冷却ジャケット２及びエレメント３から流出され、返路２３を介して循環ポンプ２１に戻る第１の循環系２０が構成されている。
【００１９】
他方で、冷媒ホールドタンク１４、冷凍機１９を含む冷媒供給手段が設けられており、冷媒ホールドタンク１４から液体冷媒を、冷媒供給ポンプ１５により、供給路１６を通して、第１の循環系２０に供給し、第１の循環系２０の余剰分を返送路１７を通して冷媒ホールドタンク１４に返送する第２の循環系３０が構成されている。
【００２０】
さらに図示の態様においては、サイフォンブレイクのための竪向きのベント２４が必要により第１の循環系２０に設けられ、その上部よりオーバーフローで第２の循環系３０に抜き出すようになっている。
この形態によれば、付帯の制御機構無しに安定的な余剰分の抜出しが可能となる。
【００２１】
流通部への供給冷媒による冷却及び結晶化熱を除熱する必要があるところ、上記の態様によれば、第１の循環系２０において、冷媒を循環させることで達成できる。
そして、主に温度変動分のみについて、第２の循環系３０から冷媒を供給すれば足りる。
第１の循環系２０の構成要素は、主に循環ポンプ２１及び循環用管路であるから、晶析装置１を取り囲むごく近傍に第１の循環系２０を構成できる。流通部高さを除く第１の循環系２０の長さは、例えば、従来例の長さ５０〜１００ｍに対して、例えば１０〜２０ｍ程度で足りる。
【００２２】
例えば、間接冷却式晶析装置１においては、スケーリングを抑止するため冷却面との温度差もあまり大きく取れないため、従来例においては、ジャケット２、あるいはエレメント３に大量の冷媒を供給する必要がある。
しかし、上記態様においては、第１の循環系２０における循環流速を必要速度に保持すればよく、第２の循環系３０からは主に温度変動分のみについて補償するように、液体冷媒を少流量で供給すればよいので、第２の循環系３０の経路は小口径のもので足りる。
その結果、第２の循環系３０の流路のみならず、循環用機器（例えば大容量で高揚程のポンプ）、冷凍機関連機器などを小型化でき、設備コストを低減することができる。また、エネルギーロスも少なくなり、運転コストも低減する。
【００２３】
この点についてさらに説明すると、ジャケット２に対しては、例えば０．５〜４．０ｍ／秒程度の流速をもって冷媒を流通させる必要がある。本発明の態様に従えば、第１の循環系により必要な流速を確保し、第２の循環系では主に第１の循環系での温度変動分のみについて補償すればよいので、第２の循環系での循環量は、第１の循環系での循環量の１／５〜１／２０として良好な運転が可能である。
【００２４】
流通部への冷媒は所定のバルブ開度で一定量を供給しても良く、また流量制御などにより供給量制御を行なっても良い。
好ましくは、晶出機のジャケット２あるいはエレメント３に対して、第１の循環系２０を局所循環する冷媒の温度により冷媒の供給量を制御する方式を採用する。
この具体例としては、例えば図４に示すように、望ましくは、循環ポンプ２１の出側に温度検出器２５（指示調節計の形態で図示してある）を設け、この温度検出器２５による温度信号に基づき、第１の循環系２０内に設けた流量調整弁（図示せず）、あるいはより望ましくは、循環ポンプ２１の入側であって、第２の循環系３０における冷媒の供給量を調整する流量調整弁３１によって温度制御する。
このように、間接冷却式晶析装置１側が要求する温度変動に対して、例えば、第１の循環系２０での流量調整、あるいは第２の循環系３０から第１の循環系２０へ供給する液体冷媒の流量調整によって温度補償できるので、精度の高い温度制御が可能である。
【００２５】
第２の循環系３０から第１の循環系２０への冷媒の供給個所は、循環ポンプ２１のサクション側あるいは吐出側のどちらに供給しても良いが、循環する冷媒との混合と供給圧力を考慮するとサクション側が好ましい。サクション側であると、循環ポンプ２１内で良好に混合できる。
【００２６】
冷媒の供給により発生した第１の循環系２０を局所循環する冷媒の余剰分については、所定のバルブ開度で一定量を抜出しても良く、また流量制御などにより抜出量制御を行なっても良い。
【００２７】
晶析装置１の冷却面には晶析物が付着し、伝熱効果を低減させ、スケーリングが生長することがある。
晶析装置１の安定運転のために、先行技術（特開２０１０−１３１５２２号）は熱媒体を加熱したものをジャケットに供給することで、晶析物を融解させる形態を開示している。
なお、この先行技術は、本発明における第１の循環系及び第２の循環系を構成するものではない。
【００２８】
前記の融解に際しては、例えば次のような形態によって融解を図ることができる。
すなわち、例えば晶析装置１内面に晶析した結晶が付着し、継続した運転が困難になるなどの段階において、図３に示すように、第１の循環系２０中に熱交換器４０を設置し、晶析装置１の融解洗浄作業にあたって、第１の循環系２０内部の冷媒のみを加熱することで、融解洗浄作業のための昇温を行なうことができる。
また、熱交換器４０に換えて、又は併用で、循環ラインの一部を加熱ジャケット配管とすることも可能である。
熱交換器としては、シェルアンドチューブ、プレート、二重管などの適宜の形式のものを使用できる。
なお、結晶の融解が必要か否かは、たとえば晶析装置１の運転時間、晶析装置１内部の画像、動画、または晶析装置１のジャケット２から排出される冷媒の温度などにより判断することができる。
【００２９】
これとの対比に関し、従来例のように、冷媒供給手段と晶析装置１との間で循環ラインを構成する冷媒システムが構築されている場合には、冷媒システム全体のホールド量に対して加熱操作を行う必要があるため、溶解（融解）操作に時間がかかり、加熱のために多くのエネルギーを要することになる。
これに対して、例えば、図３のように、第１の循環系２０内に冷媒の加熱手段（例えば熱交換器４０）が組み込まれ、前記加熱手段により冷媒が加熱されて、前記流通部を介して結晶の融解を行う形態においては、溶解（融解）操作に長時間を要せず、加熱のためのエネルギーは小さいもので足りる。
【００３０】
一方、冷媒の温度調節を必要とする晶析操作がある。この場合には、例えば、第２の循環系３０内で冷媒温度が温度調節された冷媒を、第１循環系２０に供給することができる。
【００３１】
これまた前述の従来例のように、冷媒供給手段と晶析装置１との間で循環ラインを構成する冷媒システムが構築されている場合には、特に低温冷媒を使用するシステムにおいては冷媒を冷却するための冷凍機などを含めた冷媒システム全体の温度を変化させる必要があるため、温度調節の追従性が悪くなるという問題がある。
【００３２】
これに対して、本発明の前述の態様によれば、第１の循環系２０での流量調整、あるいは第２の循環系３０から第１の循環系２０へ供給する液体冷媒の流量調整によって温度補償できるので、精度の高い温度制御が可能であるほか、冷凍機などを含めた冷媒システム全体の温度変化なしで、主に第１の循環系２０へ供給する液体冷媒の流量調整によって、あるいは冷媒システム全体の温度変化を抑制しながら温度調節できる。
【００３３】
上記例においては、サイフォンブレイクのための竪向きのベント２４を設けてある。従来の形態においては、晶析装置１のジャケット２に入れた大量の冷媒量がそのままリターンラインで冷凍機１９側に戻るもので、ベントは使用されていない。従来の形態における返送量の制御は、晶析装置１へ冷媒を供給するポンプの回転数制御などによる。晶析装置１のジャケット２に入れた大量の冷媒がそのままリターンラインで冷凍機１９側に戻る。
本発明に従う冷媒の循環系では、第１の循環系２０から冷凍機１９側に戻すべき返送量が少ないため、ベント２４を設置して、第１の循環系２０における余剰分をオーバーフローで冷凍機１９側に返送できるようにしている。
第１の循環系２０における余剰分をオーバーフローで冷凍機１９側に返送できることは、晶析装置１へ冷媒を供給するポンプ及びその回転数制御機器などの負担が小さくなり、設備及び運転コストが低減する利点がある。
上記形態においては、冷凍機１９側に戻すべき返送量についての圧力損失分相当の液高さより高い位置に、ベント２４の開口部を設けるのが好適である。
【００３４】
上記例において冷媒ホールドタンク１４を設けてある。冷媒ホールドタンク１４内には堰板１４ａが設けられている。
第１の循環系２０から返送されてきた冷媒のリターン分は、堰板１４ａの一方側に、冷凍機１９で冷却された冷媒は、復路１９Ａを通して冷媒ホールドタンク１４の堰板１４ａの他方側に戻される。この場合の冷媒ホールドタンク１４への供給分の振り分けについては、次のように行われるのが望ましい。
すなわち、冷凍機１９側から復路１９Ａを通しての冷媒ホールドタンク１４への供給量を多くし、冷媒ホールドタンク１４内を堰板１４ａによって仕切り、図２に示すように、堰板１４ａの他方側から、冷凍機供給ポンプ１８による冷凍機１９への供給側に(すなわち、第１の晶析循環系２０から返送路１７を通って冷媒のリターン分が返送される堰板１４ａの一方側に)、オーバーフローさせる形態が望ましい。
このオーバーフロー形態であると、上述のように、第２の循環系における冷媒循環量が少なくなることに伴って、オーバーフローする冷媒の循環量も少なくなるので、冷媒ホールドタンク１４におけるオーバーフロー形態の利点が顕在化し、設備及び運転コストが低減する利点がある。
【産業上の利用可能性】
【００３５】
本発明においいて、前述のように、熱媒体利用機器及び熱媒体については、加熱媒体及び冷媒（冷却媒体）の両者を含む意義であり、前述の晶析装置及び冷媒に限定されるものではない。
【符号の説明】
【００３６】
１…間接冷却式晶析装置、２…ジャケット、３…エレメント、１４…冷媒ホールドタンク、１５…冷媒供給ポンプ、１６…供給路、１７…返送路、１９…冷凍機、２０…第１の循環系、２１…循環ポンプ、２２…往路２２、２３…返路、２４…ベント、２５…温度検出器、３０…第２の循環系、３１…流量調整弁、４０…熱交換器。
【図１】
0006869306.tif 000002
【図２】
0006869306.tif 000003
【図３】
0006869306.tif 000004
【図４】
0006869306.tif 000005